(57)【要約】      （修正有）【課題】多種類の乳液を同時に収納することができるため、携帯しやすく実用的な回転式旅行用乳液小分けボトルを提供する。【解決手段】回転式旅行用乳液小分けボトルであって、外殻１及び外殻１の内部空洞に取り付けられる四つの溶液ボトル７を備え、それぞれの溶液ボトル７のポートに何れも乳液排出用出口が設置され、外殻１のポートにスナップジョイントを通して密閉可能な当て板４が設置される。当て板４の外側に上殻体３が被装され、且つ上殻体３が外殻１に固定され、上殻体３の上端部にオーバーキャップ２が回転して取付られ、外殻１の上部の内壁に互いに連係する突き上げ針５とばね６が設置される。突き上げ針５は、ばね６を介して外殻１の内壁に接続され、且つ突き上げ針５の先端は、オーバーキャップ２の外壁に当たる。【選択図】図１
0003222857.tif 000002
【実用新案登録請求の範囲】
【請求項１】
回転式旅行用乳液小分けボトルであって、それは外殻（1）及び外殻（1）の内部空洞に取り付けられる四つの溶液ボトル（7）を備え、
それぞれの溶液ボトル（7）のポートに何れも乳液排出用出口が設置され、前記外殻（1）のポートにスナップジョイントを通して密閉可能な当て板（4）が設置され、前記当て板（4）の外側に上殻体（3）が被装され、且つ上殻体（3）が外殻（1）に固定され、前記上殻体（3）の上端部にオーバーキャップ（2）が回転して取付られ、前記外殻（1）の上部の内壁に互いに連係する突き上げ針（5）とばね（6）が設置され、突き上げ針（5）は、ばね（6）を介して外殻（1）の内壁に接続され、且つ突き上げ針（5）の先端は、オーバーキャップ（2）の外壁に当たることを特徴とする回転式旅行用乳液小分けボトル。
【請求項２】
前記外殻（1）は円筒形構造であることを特徴とする請求項１に記載の回転式旅行用乳液小分けボトル。
【請求項３】
前記四つの溶液ボトル（7）は外側壁が互いに連続して一体になることを特徴とする請求項１に記載の回転式旅行用乳液小分けボトル。
【請求項４】
前記外殻（1）の外壁に二つの可視窓口（9）が設置され、前記二つの可視窓口（9）の中心線が重なっていることを特徴とする請求項１〜３のいずれかに記載の回転式旅行用乳液小分けボトル。
【請求項５】
前記溶液ボトル（7）は何れも透明材料で作られ、且つ溶液ボトル（7）の外壁に目盛（8）が彫刻されることを特徴とする請求項４に記載の回転式旅行用乳液小分けボトル。
【考案の詳細な説明】
【技術分野】
【０００１】
本考案は日用品の技術分野に関し、特に回転式旅行用乳液小分けボトルに関する。
【背景技術】
【０００２】
化粧品は塗布、吹きかける又は前記と同じような方法により、例えば、皮膚、毛髪、爪、唇と歯等人体の何れの部位に散布するもので、体を清潔にしたり、肌を守ったり、見た目を美しくしたり、あるいは人体の匂いを調整したり、人を良好な状態に保たせることを目的とする化学工業製品やファインケミカル製品である。女性にとって化粧品はすでに欠けてはならないものとなっている。
【０００３】
現在化粧品の種類が多く、様々な機能が次々と出てくる。既存の乳液、化粧品小分けボトルは殆どシングルボトルであり、携帯しにくく、使用に不便がある。女性はいつも多くの化粧品小分けボトルを持って旅行に行くため、非常に面倒である。
【考案の概要】
【考案が解決しようとする課題】
【０００４】
本考案は回転式旅行用乳液小分けボトルを提供することを目的とし、既存の乳液又は化粧品用小分けボトルが殆どシングルボトルであるため、携帯しにくく、使用に不便がある問題を解決することができるようになる。
【課題を解決するための手段】
【０００５】
以上の目的を実現するために、本考案の使用する技術的な解決方案は以下の通りである。
回転式旅行用乳液小分けボトルであって、それは外殻及び外殻の内部空洞に取り付けられる四つの溶液ボトルを備え、それぞれの溶液ボトルのポートに何れも乳液排出用出口が設置され、前記外殻のポートにスナップジョイントを通して密閉可能な当て板が設置され、前記当て板の外側に上殻体が被装され、且つ上殻体が外殻に固定され、前記上殻体の上端部にオーバーキャップが回転して取付られ、前記外殻の上部の内壁に互いに連係する突き上げ針とばねが設置され、突き上げ針がばねを介して外殻の内壁に接続され、且つ突き上げ針の先端がオーバーキャップ（2）の外壁に当たる。
【０００６】
さらに、前記外殻は円筒形構造である。
【０００７】
さらに、前記四つの溶液ボトルは外側壁が互いに連続して一体になる。
【０００８】
さらに、前記外殻の外壁に二つの可視窓口が設置され、前記二つの可視窓口の中心線が重なっている。
【０００９】
さらに、前記溶液ボトルは何れも透明材料で作られ、且つ溶液ボトルの外壁に目盛が彫刻される。
【考案の効果】
【００１０】
既存技術と比べて、本考案の有益な効果は以下の通りである。
1、乳液小分けボトルにより多種類の乳液を同時に収納することができるため、携帯しやすく、実用的である。小分けセットボトルを使用しない時、ノズル以外の角度に回転して切り替えることで出口を閉じさせて、液漏れが発生しない。
【００１１】
2、簡単にボルト本体又はオーバーキャップを回転すれば、使用する乳液のノズルに自由に切り替えることができ、一つのノズルに回転するたびに、透き通った効果音と震動効果が生じて、またオーバーキャップ回転することで、小分けセットにおけるボトルを取り入れたり取り出すことができるため、使用しやすく、安定性もよい。
【図面の簡単な説明】
【００１２】
【図１】本考案の分解立体図である。
【考案を実施するための形態】
【００１３】
以下、本考案の実施例における図面と合わせて、本考案の実施例における技術手段について具体的に説明する。図面又は説明において、類似又は同じ部分に対して同じ符号を使う。また実際に応用する際、各部分の形状、厚さ又は高さは、拡大又は縮小することができる。もちろん、以下説明する実施例は本考案の一部の実施例に過ぎず、全部の実施例というわけではない。本考案の実施例に鑑みて、本技術分野の当業者が本考案の原理から逸脱しない前提において得た全ての他の実施例は、本考案の保護範囲に属する。
【００１４】
図１をご参照ください、本考案の実施状態において、回転式旅行用乳液小分けボトルであって、それは外殻1及び外殻1の内部空洞に取り付けられる四つの溶液ボトル7を備え、前記外殻1は円筒形構造であり、前記四つの溶液ボトル7は外側壁が互いに連続して一体になっており、それぞれの溶液ボトル7のポートに何れも乳液排出用出口が設置され、前記外殻1のポートにスナップジョイントを通して密閉可能な当て板4が設置され、前記当て板4の外側に上殻体3が被装され、且つ上殻体3が外殻1に固定され、前記上殻体3の上端部にオーバーキャップ2が回転して取付られ、前記外殻1の上部に互いに連係する突き上げ針5とばね6が設置され、突き上げ針5がばね6を介して外殻1の内壁に接続され、且つ突き上げ針5の先端がオーバーキャップ2の外壁に当たる。
【００１５】
異なる乳液と液体が入っているボトルを本製品の内部空洞に入れて、オーバーキャップ2を回転することにより、使用する乳液又は液体のノズルに自由に切り替えることができ、一つのノズルに回転するたびに、突き上げ針5とばね6により透き通った効果音と震動効果が生じる。小分けボトルセットを使用しない時、ノズル以外の角度に回転して切り替えることで出口を閉じさせて、液漏れを防止することができる。
【００１６】
乳液の名称及び容量をよく把握するために、前記外殻1の外壁に二つの可視窓口9が設置され、前記二つの可視窓口９の中心線が重なっており、前記溶液ボトル7は何れも透明材料で作られ、且つ溶液ボトル7の外壁に目盛8が彫刻される。
【００１７】
本明細書に具体的な個別事例を応用して本実用新案の原理及び実施方式を説明したが、本技術分野の当業者にとって、本発明の原理及び精神から逸脱しない前提において、さらにいくつかの改善、修正または変化を実施できる。本実用新案の保護範囲は添付の実用新案の請求範囲及びそれと同じものによって限定される。
【符号の説明】
【００１８】
1  外殻
2  オーバーキャップ
3  上殻体
4  当て板
5  突き上げ針
6  ばね
7  溶液ボトル
8  目盛
9  可視窓口
【図１】
0003222857.tif 000003